(57)【特許請求の範囲】
【請求項１】
メディアデータストリームを伝送する方法において
送信装置（ＳＶ）が、
符号化モジュール（ＣＭ）によってメディアデータストリームを符号化し、メディアデータストリームの基本品質を表す第１のデータストリーム（Ｃ１）と、前記基本品質に比べて改善された品質を表す少なくとも１つの第２のデータストリーム（Ｃ２１，Ｃ２２）とを生成し、
第１のメモリモジュール（ＳＭ１）によって前記第１のデータストリーム（Ｃ１）および前記少なくとも１つの第２のデータストリーム（Ｃ２１，Ｃ２２）を記憶し、
第１の対応付けモジュール（ＺＭ１）によって、事前に規定されている対応付け規則に基づき、伝送フレーム（ＵＲ）において前記第１のデータストリーム（Ｃ１）および前記少なくとも１つの第２のデータストリーム（Ｃ２１，Ｃ２２）が伝送される伝送チャネル（Ｕ１，Ｕ２１，Ｕ２２）を決定し、各伝送フレーム（ＵＲ）に前記第１のデータストリーム（Ｃ１）のデータパケット（Ｄ１０，Ｄ１１，Ｄ１２）および前記少なくとも１つの第２のデータストリーム（Ｃ２１，Ｃ２２）のデータパケット（Ｄ２０，Ｄ２１，Ｄ２２；Ｄ３０，Ｄ３１，Ｄ３２）がそれぞれ１つずつ含まれるようにして前記メディアデータストリームを、対応付けられた伝送フレームにおいて受信装置（ＥＶ）に送信し、
前記受信装置（ＥＶ）に送信する際に、前記事前に規定されている対応付け規則に基づき、前記伝送チャネル（Ｕ１，Ｕ２１，Ｕ２２）に前記伝送フレームのタイムスロット（ＺＡ，ＺＢ，ＺＣ）をそれぞれ割り当て、かつ、
前記各伝送チャネル（Ｕ１，Ｕ２１，Ｕ２２）に、相互に異なる固有の各周波数帯域（ＦＡ，ＦＢ，ＦＣ）をそれぞれ割り当て、
前記受信装置（ＥＶ）が、
第２の対応付けモジュール（ＺＭ２）によって、前記メディアデータストリームを受信し、前記事前に規定されている対応付け規則に基づき、前記受信装置（ＥＶ）の機能に対応するデータストリームのみを読み出し、
第２のメモリモジュール（ＳＭ２）によって、読み出したデータストリームにおけるデータパケットを記憶し、
復号化モジュール（ＤＭ）によって、再構成されたメディアデータストリームを生成することを特徴とする、メディアデータストリームを伝送する方法。
【請求項２】
前記第１のデータストリーム（Ｃ１）のデータおよび／または前記第２のデータストリーム（Ｃ２１，Ｃ２２）のデータを、圧縮方法を使用して形成し、該圧縮方法によってディジタルデータを生成する、請求項１記載の方法。
【請求項３】
前記第１のデータストリーム（Ｃ１）および前記第２のデータストリーム（Ｃ２１，Ｃ２２）を、該第１のデータストリーム（Ｃ１）および該第２のデータストリーム（Ｃ２１，Ｃ２２）がそれぞれの伝送チャネル（Ｕ１，Ｕ２１，Ｕ２２）の帯域幅（Ｂ１，Ｂ２１，Ｂ２２）に依存してそれぞれのデータレートを有するように生成する、請求項１または２記載の方法。
【請求項４】
前記第１のデータストリーム（Ｃ１）の伝送チャネル（Ｕ１）に付加的に受信すべき前記第２のデータストリーム（Ｃ２１，Ｃ２２）の伝送チャネル（Ｕ２１，Ｕ２２）を制御信号（ＳＧ）に依存して決定する、請求項１から３までのいずれか１項記載の方法。
【請求項５】
前記制御信号（ＳＧ）を、受信方法を実施する受信装置（ＥＶ）のバッテリ容量、前記受信装置（ＥＶ）の支援する機器機能環境、前記受信装置（ＥＶ）の負荷に依存して、および／または、伝送品質（Ｑ）の変化を基礎として形成する、請求項４記載の方法。
【請求項６】
個々の伝送チャネル（Ｕ１，Ｕ２１）を変調方法に対応する復調方法の一部として分離することができるように、前記伝送チャネル（Ｕ１，Ｕ２１）に変調方法のサブキャリアを対応付ける、請求項１から５までのいずれか１項記載の方法。
【請求項７】
メディアデータストリームを伝送するためのネットワークにおいて、
前記ネットワークは送信装置（ＳＶ）および受信装置（ＥＶ）を含み、
前記送信装置（ＳＶ）は、
メディアデータストリームを符号化し、メディアデータストリームの基本品質を表す第１のデータストリーム（Ｃ１）と、前記基本品質に比べて改善された品質を表す少なくとも１つの第２のデータストリーム（Ｃ２１，Ｃ２２）とを生成する符号化モジュール（ＣＭ）と、
前記第１のデータストリーム（Ｃ１）および前記少なくとも１つの第２のデータストリーム（Ｃ２１，Ｃ２２）を記憶する第１のメモリモジュール（ＳＭ１）と、
事前に規定されている対応付け規則に基づき、伝送フレーム（ＵＲ）において前記第１のデータストリーム（Ｃ１）および前記少なくとも１つの第２のデータストリーム（Ｃ２１，Ｃ２２）が伝送される伝送チャネル（Ｕ１，Ｕ２１，Ｕ２２）を決定し、各伝送フレーム（ＵＲ）には前記第１のデータストリーム（Ｃ１）のデータパケット（Ｄ１０，Ｄ１１，Ｄ１２）および前記少なくとも１つの第２のデータストリーム（Ｃ２１，Ｃ２２）のデータパケット（Ｄ２０，Ｄ２１，Ｄ２２；Ｄ３０，Ｄ３１，Ｄ３２）がそれぞれ１つずつ含まれるようにして前記メディアデータストリームを、対応付けられた伝送フレームにおいて前記受信装置（ＥＶ）に送信する第１の対応付けモジュール（ＺＭ１）とを有し、
前記第１の対応付けモジュール（ＺＭ１）は、
前記受信装置（ＥＶ）に送信する際に、前記事前に規定されている対応付け規則に基づき、前記伝送チャネル（Ｕ１，Ｕ２１，Ｕ２２）に前記伝送フレームのタイムスロット（ＺＡ，ＺＢ，ＺＣ）をそれぞれ割り当て、かつ、
前記各伝送チャネル（Ｕ１，Ｕ２１，Ｕ２２）に、相互に異なる固有の各周波数帯域（ＦＡ，ＦＢ，ＦＣ）をそれぞれ割り当て、
前記受信装置（ＥＶ）は、
前記メディアデータストリームを受信し、前記事前に規定されている対応付け規則に基づき、前記受信装置（ＥＶ）の機能に対応するデータストリームのみを読み出す第２の対応付けモジュール（ＺＭ２）と、
読み出したデータストリームにおけるデータパケットを記憶する第２のメモリモジュール（ＳＭ２）と、
再構成されたメディアデータストリームを生成する復号化モジュール（ＤＭ）とを有する、ことを特徴とする、メディアデータストリームを伝送するネットワーク。
【発明の詳細な説明】
【技術分野】
【０００１】
本発明は、請求項１の上位概念に記載されている方法および請求項４の上位概念に記載されている方法に関する。さらに本発明は、請求項１１の上位概念に記載されている送信装置および請求項１２の上位概念に記載されている受信装置に関する。
【０００２】
多くの用途において異なる品質のメディアデータストリーム、例えばビデオデータストリームまたはオーディオデータストリームが必要とされる。例えば、移動電話は低い画像解像度、例えば１７６×１４４画素を有するビデオデータストリームしか再生できない。これに対して携帯可能なコンピュータ、例えばタブレットＰＣはそのディスプレイ上に１２８０×７６８画素までの画素を有するビデオデータストリームを表示することができる。
【０００３】
本発明の課題は、異なる機器特性を有する受信側の端末機器に関してメディアデータストリームの送信ないし受信を簡単且つ経済的に実現する方法および装置を提供することである。
【０００４】
この課題は、請求項１ないし請求項４の上位概念に記載されている方法を基礎として、その特徴部分に記載されている構成によって解決される。さらにこの課題は、請求項１１ないし請求項１２の上位概念にしたがい、その特徴部分に記載されている構成によって解決される。
【０００５】
本発明の別の実施形態は従属請求項に記載されている。
【０００６】
メディアデータストリームの送信方法においては、メディアデータストリームの符号化により第１のデータストリームと少なくとも１つの第２のデータストリームが、第１のデータストリームは基本品質のメディアデータストリームを表し、且つ１つまたは複数の第２のデータストリームが第１のデータストリームと共に、基本品質に比べて改善された品質のメディアデータストリームを表すように生成される。第１のデータストリームおよび第２のデータストリームはそれぞれ事前に規定されて対応付けられている伝送データチャネルにおいて送信される。
【０００７】
本発明の方法により、配給サービス、例えばストリーミングサービスまたはブロードキャスティングサービスが異なる機器機能を有する端末機器にメディアデータストリームを、この端末機器が受信、処理および再生できるように提供することができる。さらに本発明による方法により端末機器においてリソースを効率良く使用することができる。何故ならば、端末機器によって処理することができる、もしくは処理されるべき伝送チャネルのみを受信すればよいからである。これによって電流消費量を低減することができる、もしくは端末機器の動作時間を延長することができるだけでなく、伝送チャネルから受信するデータを処理する際の煩雑さも低減することができる。
【０００８】
有利には第１のデータストリームおよび／または第２のデータストリームのデータが圧縮方法を使用して形成され、この圧縮方法によって殊にディジタルデータが生成されるので、伝送すべきデータ量を低減することができる。さらに圧縮方法として標準化された符号化方法を使用することができ、これによって廉価なインプリメンテーションを実現することができる。
【０００９】
有利には本発明による方法のヴァリエーションにおいて第１のデータストリームおよび第２のデータストリームは、これらのデータストリームがそれぞれの伝送チャネルの帯域幅に依存してそれぞれのデータレートを有するように生成される。これによってデータストリームを符号化する際に、そのデータストリームのデータレートをそれぞれの伝送チャネルの帯域幅に適合させることができ、伝送チャネルの効率的な負荷を達成することができる。
【００１０】
再構成されたメディアデータストリームを受信および作成する方法においては、第１のデータストリームのデータ、または第１のデータストリームと少なくとも１つの第２のデータストリームのデータがそれぞれ事前に規定されて対応付けられている伝送チャネルにおいて受信され、第１のデータストリームは基本品質のメディアデータストリームを表し、１つまたは複数の第２のデータストリームは第１のデータストリームと共に、基本品質に比べて改善された品質のメディアデータストリームを表し、また再構成されたメディアデータストリームは第１のデータストリームのデータの復号によって、または第１のデータストリームと少なくとも１つの第２のデータストリームのデータの復号によって生成される。
【００１１】
受信方法を用いることにより端末機器は、第１のデータストリームまた選択的に１つまたは複数の第２のデータストリームを使用して再構成されたメディアデータストリームを形成することができる。本発明による方法により端末機器においてリソースを効率良く使用することができる。何故ならば、端末機器によって処理することができる、もしくは処理されるべき伝送チャネルのみを受信すればよいからである。これによって電流消費量を低減することができる、もしくは端末機器の動作時間を延長することができるだけでなく、伝送チャネルから受信するデータを処理する際の煩雑さも低減することができる。
【００１２】
有利には、第１のデータストリームの伝送チャネルに付加的に受信すべき第２のデータストリームの複数の伝送チャネルが制御信号に依存して決定される場合には、端末機器は機器機能、例えば機器のディスプレイの再現特性に依存して、また時間によって変化するパラメータ、例えば端末機器の変動する計算能力にも依存して、多かれ少なかれ第２のデータストリームの伝送チャネルを再構成されたメディアデータストリームの生成時に考慮することができる。
【００１３】
付加的に制御信号が受信方法を実施する受信装置のバッテリ容量、受信装置の支援する機器機能環境、受信装置の負荷に依存して形成される場合、および／または、伝送品質の変化に基づいて形成される場合には、端末機器の個々の静的な特性も動的な個々の特性も考慮することができる。
【００１４】
有利には、伝送チャネルにそれぞれ伝送方法のタイムスロットが割り当てられる。これにより簡単なやり方で伝送チャネルを伝送することができる。何故ならば、受信装置は大きな計算の手間を要することなく伝送チャネルの伝送データを再取得することができるからである。さらには、受信ユニットは考慮すべき伝送チャネルないしタイムスロットの間のみスイッチオンされれば良いので、これにより継続的な受信に比べて電流消費量が低減される。
【００１５】
別のヴァリエーションにおいては、個々の伝送チャネルを変調方法に対応する復調方法の一部として分離することができるように、伝送チャネルに変調方法のサブキャリアが対応付けられる。これによって計算の手間を低減することができる。何故ならば、再構成されたメディアデータストリームの作成のために使用されるデータを包含するサブキャリアのみを処理すればよいからである。
【００１６】
有利には、伝送チャネルに伝送方法の固有の周波数帯域がそれぞれ割り当てられる。これによって有利には受信装置における伝送チャネルの簡単且つ廉価な分離を達成することができる。何故ならば、再構成されたメディアデータストリームの作成のために使用されるデータを包含する周波数のみを処理すればよいからである。
【００１７】
有利な拡張形態においては、第１のデータストリームと少なくとも１つの第２のデータストリームまたは少なくとも２つの第２のデータストリームを包含する、少なくとも２つのデータストリームが単一の伝送チャネルに対応付けられる場合には、第１のデータストリームおよび／または第２のデータストリームを効率的に伝送することができる。何故ならば、例えば伝送チャネルに対応付けられているタイムスロットに関して考えられるシグナリングの手間が低減される。さらには考慮すべき伝送チャネルが少ないので、端末機器における複雑性を低減することができる。
【００１８】
さらに本発明は、メディアデータストリームの符号化により第１のデータストリームおよび少なくとも１つの第２のデータストリームが、この第１のデータストリームが基本品質のメディアデータストリームを表し、１つまたは複数の第２のデータストリームが第１のデータストリームと共に、基本品質に比べて改善された品質のメディアデータストリームを表すように生成されるように構成されている符号化モジュールと、第１のデータストリームおよび第２のデータストリームのデータがそれぞれ事前に規定されて対応付けられている伝送チャネルにおいて送信されるように構成されている対応付けモジュールとを有する、メディアデータストリームを送信するための送信装置に関する。この送信装置により送信方法をインプリメントおよび実施することができる。
【００１９】
さらに本発明は、第１のデータストリームが基本品質のメディアデータストリームを表し、１つまたは複数の第２のデータストリームが第１のデータストリームと共に、基本品質に比べて改善された品質のメディアデータストリームを表しており、第１のデータストリームのデータ、または第１のデータストリームと少なくとも１つの第２のデータストリームのデータがそれぞれ事前に規定されて対応付けられている伝送チャネルにおいて受信されるように構成されている第２の対応付けモジュールと、再構成されたメディアデータストリームが第１のデータストリームのデータの復号によって生成されるか、第１のデータストリームと少なくとも１つの第２のデータストリームのデータの復号によって生成するよう構成されている復号化モジュールとを有する、再構成されたメディアデータストリームを受信および作成する受信装置に関する。この受信装置により本発明による受信方法をインプリメントおよび実施することができる。
【００２０】
以下では本発明およびその実施形態を図１から４に基づき詳細に説明する。
【００２１】
ここで、
図１は、本発明による方法を実施するための送信装置および受信装置の実施例を示し、
図２は、種々のデータストリームのデータのそれぞれの周波数帯域への割り当てと時間の関係を示し、
図３は、種々のデータストリームのデータを対応付ける１６−ＱＡＭ方法を使用する場合の信号空間と符号の対応付けを示し、
図４Ａは、１６−ＱＡＭ方法を使用する場合の種々のデータストリームのデータの対応付けの実施例を示し、
図４Ｂは、１６−ＱＡＭ方法を使用する場合の種々のデータストリームのデータを再取得するために実施例を示す。
【００２２】
図１から図４において同一の機能および作用を有する要素には同一の参照記号が付されている。メディアデータストリームＭを送信するため、また再構成されたメディアデータストリームＲを受信および作成するための本発明による方法をビデオ配給サービスに基づき詳細に説明する。ここでは例えばビデオ信号を包含するメッセージが２つの端末機器に送信され、これらの端末機器は異なる機器機能を有する。第１の端末機器は低い画像再生率、例えば１５ｆｐｓ（fps = frames per second）で例えばＱＣＩＦ＝１７６×１４４画素（QCIF = Quarter Common Intermediate Format）の低い画像解像度を有するビデオ信号しか処理できない。これに対して第２の端末機器は低い画像再生率、例えば１５ｆｐｓ（fps = frames per second）で、例えばＣＩＦ＝３５２×２８８画素（CIF = Common Intermediate Format）の高い画像解像度を有するビデオ信号を受信、処理および表示することができる。
【００２３】
したがってビデオ信号の形のメッセージ送信はメディアデータストリームＭの可能なタイプを表す。メディアデータストリームＭの別のタイプは例えば固定画像、音声信号、楽曲または複数の品質レベルで表すことができるデータセットである。この実施例に関しては例えば、メディアデータストリームＭが３０ｆｐｓのフレームレートおよびＣＩＦ画像解像度を有する符号化されていない一連の画像から構成されており、各画素は赤、緑および青の三色で表される。択一的に各画素を輝度値（＝輝度）および２つの色値（＝クロミナンス）の組み合わせから形成することができる。
【００２４】
メディアデータストリームＭは続けて画素毎に送信装置ＳＶの符号化モジュールＣＭに供給される。このことが図１に示されている。符号化モジュールＣＭは１つまたは複数のデータストリームＣ１，Ｃ２１，Ｃ２２を生成ないし符号化し、メディアデータストリームＭのスケーリングを実現するよう構成されている。スケーリングとは、メディアデータストリームＭを再構成する際、すなわちデータストリームを復号する際に考慮されるデータストリームの数が多くなればなるほど、再構成されたメディアデータストリームＲの品質が一層良くなることを意味する。一般的に以下の２種類のタイプのスケーリングを区別することができる。
【００２５】
−層モデル：
このモデルにおいてはデータストリームが重なり合って構成されているように階層的に編成されている。ベース層とも称される第１のデータストリームＣ１に基づき、拡張層、例えば第２のデータストリームＣ２１が逐次的に付加されることによって、例えば画像解像度および画像再生率に関して質を改善することができる。これに基づき付加的な拡張層、例えば第２のデータストリームＣ２２を付加することによって、例えば画像再生率に関して付加的な改善を達成することができる。したがって層モデルにおいては、個々の層を付加した際の固定的な順序が設定されている。
【００２６】
-クラスモデル：
このモデルではデータストリームがクラスで編成されている。第１のデータストリームＣ１はベースクラスに対応し、また第２のデータストリームＣ２１，Ｃ２２のそれぞれは１つの拡張クラスを表す。ベースクラスを含む複数のクラスに拡張クラスを付加することによって、例えば画像再生率または画像解像度に関する次元の質を改善することができる。クラスを使用することにより、層を使用するよりも一層フレキシブルな品質レベルの選択を実現することができる。何故ならば、ベースクラスに基づいて１つまたは複数の拡張クラスを複数の自由度と組み合わせることができるからである。
【００２７】
この実施例においては３つのデータストリームＣ１，Ｃ２１，Ｃ２２が層モデルを使用して生成される。第１のデータストリームＣ１はＱＣＩＦの画像解像度および１５ｆｐｓの画像再生率を有するベース層を表す。第２のデータストリームＣ２１は、ＣＩＦの画像解像度および１５ｆｐｓの画像再生率を有するメディアデータストリームＭの再構成を可能にする第１の拡張層を表す。第２の拡張層は、４ＣＩＦ（4CIF = four timest Common Interchange Format、７０４ｘ５７６画素）の画像解像度および３０ｆｐｓの画像再生率での再構成を可能にする第２のデータストリームＣ２２によって表される。第１のデータストリームＣ１および第２のデータストリームＣ２１，Ｃ２２をビデオ圧縮標準、例えばＨ．２６４、ＭＰＥＧ４−ＦＧＳ（MPEG - Motion Picture Expert Group; FGS - Fine Granular Scalable Coding）、または目下のところ標準化の準備が進められているＳＶＣ標準（SVC - Scalable Video Coding）にしたがい符号化ないし圧縮することができる。さらに符号化をディジタル形式で行うことができ、第１のデータストリームＣ１ないし第２のデータストリームＣ２１，Ｃ２２の符号化されたデータはバイナリシンボルを有する。
【００２８】
さらには第１のデータストリームＣ１および第２のデータストリームＣ２１，Ｃ２２を第１のメモリモジュールＳＭ１において編成して格納することができる。第１のデータストリームＣ１およびそれぞれの第２のデータストリームＣ２１，Ｃ２２の個々の符号化されたデータパケットＤ１０〜Ｄ３２は例えばビデオ画像またはビデオ画像のグループに関するそれぞれのデータを表す。つまり、例えば第１のビデオ画像に関して符号化されたデータパケットＤ１０には第１のデータストリームＣ１のデータが包含されており、符号化されたデータパケットＤ２０ないしＤ３０には第２のデータストリームＣ２１ないしＣ２２のデータが包含されている。第２のビデオ画像のデータは符号化されたデータパケットＤ１１，Ｄ２１およびＤ３１内に存在する。さらなるビデオ画像のデータは例えば符号化されたデータパケットＤ１２，Ｄ２２およびＤ３２を表す。
【００２９】
後続の処理ステップにおいては、第１のデータストリームＣ１および第２のデータストリームＣ２１，Ｃ２２はそれぞれ事前に規定されて対応付けられている伝送チャネルＵ１，Ｕ２１，Ｕ２２において送信される。対応付け規則により、第１のデータストリームＣ１および第２のデータストリームＣ２１，Ｃ２２の符号化されたデータパケットをそれぞれ１つの伝送チャネルＵ１，Ｕ２１，Ｕ２２に対応付けることができる。この主の対応付け規則は例えば以下のようなものである：
データストリーム        伝送チャネル
Ｃ１                    Ｕ１
Ｃ２１                  Ｕ２１
Ｃ２２                  Ｕ２２。
【００３０】
伝送チャネルＵ１，Ｕ２１，Ｕ２２は、受信装置ＥＶにおける伝送チャネルＵ１，Ｕ２１，Ｕ２２の一義的な再取得が実現されるように物理的な伝送媒体に対応付けられている。これをタイムスロット指向の伝送方法ＵＫに基づいて詳細に説明する。この伝送方法ＵＫは個々のタイムスロットＺＡ〜ＺＤを規定する。個々のタイムスロットＺＡ〜ＺＤをフレームＵＲにおいて編成することができ、フレームＵＲを反復させることができる。この実施例においては伝送チャネルとタイムスロットとの間の以下のような対応付けを前提とする。
タイムスロット        伝送チャネル
ＺＡ                  Ｕ１
ＺＢ                  Ｕ２１
ＺＣ                  Ｕ２２。
【００３１】
第１の対応付けモジュールＺＭ１を使用して、第１のデータストリームＣ１ないし第２のデータストリームＣ２１，Ｃ２２の符号化されたデータパケットＤ１０〜Ｄ３１が所属の伝送チャネルＵ１，Ｕ２１，Ｕ２２の対応付けを用いて、この伝送チャネルＵ１，Ｕ２１，Ｕ２２に対応付けられたそれぞれのタイムスロットＺＡ，ＺＢ，ＺＣにフレームごとに割り当てられる。この対応付けの結果が図１に示されている。さらには伝送方法ＵＫを用いることにより、符号化されたデータパケットＤ１０〜Ｄ３２が送信装置ＳＶから受信装置ＥＶに伝送される。これは例えばＤＶＢネットワーク（DVB - Digitial Video Broadcast）またはＩＳＤＮネットワーク（ISDN - Integrated Services Digital Network）を用いて行うことができる。さらに図１はタイムスロットＺＤを例にして、全てのタイムスロットにおいてデータを伝送する必要はないことが示されている。
【００３２】
受信装置ＥＶは符号化されたデータパケットＤ１０〜Ｄ３２を受信し、上述の対応付けに基づいてタイムスロットＺＡ〜ＺＤの伝送チャネルＵ１〜Ｕ２１への対応付け、また伝送チャネルＵ１〜Ｕ２１のデータストリームＣ１〜Ｃ２２への対応付けが実現される。この対応付けは第２の対応付けモジュールＺＭ２により受信装置ＥＶにおいて実施される。しかしながら、受信装置ＥＶが設けられている端末機器の機器機能に依存して、全ての伝送チャネルを対応付けの際に考慮する必要がないことを顧慮すべきである。例えば、考慮すべきデータストリームのデータを包含するデータチャネルのみが読み出される。
【００３３】
この実施例においては第２の端末機器に関して、１５ｆｐｓの画像再生率およびＣＩＦの画像解像度を支援するように再構成されたメディアデータストリームＲが生成される。何故ならば第２の端末機器はこの画像パラメータ、すなわち例えば１５ｆｐｓの画像再生率を支援する機器機能を有するからである。比較的高い画像再生率は例えば複雑性の理由から、または最大で１５ｆｐｓしか再生できない出力媒体に基づき不可能である。再構成されたメディアデータストリームＲを第１のデータストリームＣ１および第２のデータストリームＣ２１によって作成することができる。これらのデータストリームＣ１，Ｃ２１に対応付けられたデータ、すなわち符号化されたデータパケットＤ１０〜Ｄ２２を読み出すために、第２の対応付けモジュールＺＭ２は２つの伝送チャネルＵ１，Ｕ２１のみを選択し、必要なデータを取得する。第２の伝送チャネルＵ２２は考慮されない。伝送チャネルＵ１，Ｕ２１から取得された符号化されたデータパケットＤ１０〜Ｄ２２を第２の記憶モジュールＳＭ２に編成して記憶することができる。
【００３４】
第１のデータストリームＣ１および第２のデータストリームＣ２１のデータ、すなわち符号化されたデータパケットＤ１０〜Ｄ２２は続けて復号化モジュールＤＭに伝送され、この復号化モジュールＤＭはこれらのデータから個々のビデオデータを形成する。例えば、符号化されたデータパケットＤ１０，Ｄ２０を復号することにより第１のビデオ画像を再構成することができる。再構成されたビデオ画像により再構成されたメディアデータストリームＲが生じる。全てのデータストリームＣ１，Ｃ２１，Ｃ２２のデータが再構成の際、すなわち復号の際に考慮されていなかったので、この再構成されたメディアデータストリームＲはメディアデータストリームＭの画像品質よりも低い画像品質を示す可能性がある。さらには必要に応じて実施される圧縮に基づき、メディアデータストリームＭに比べて低い画像品質の基礎となる符号アーチファクトが生じる可能性がある。
【００３５】
再構成されたメディアデータストリームＲを出力媒体、例えばディスプレイに出力することができる、および／または、後の更なる処理のために別の記憶モジュールに記憶することができる。
【００３６】
第２の端末機器に関して再構成されたメディアデータストリームＲを再構成するための構成に比べて、第１の端末機器を使用する場合には、第１のデータストリームＣ１のデータ、すなわち符号化されたデータパケットＤ１０〜Ｄ１２が使用される。何故ならば、第２のデータストリームＣ２１，Ｃ２２のデータは第１の端末機器によって処理することができないからである。したがって第２の対応付けモジュールＺＭ２は伝送チャネルＵ１を読み出し、第１のデータストリームＣ１のデータを復号する。この復号により再構成されたメディアデータストリームＲが生じ、このメディアデータストリームＲは１５ｆｐｓの画像再生率およびＱＣＩＦ画像解像度を表す。
【００３７】
第２の対応付けモジュールＺＭ２を制御信号ＳＧにより制御することができ、制御信号ＳＧは端末機器において使用可能な機器機能に依存して、この機器機能に対応する伝送チャネルのみが考慮されるように形成される。さらには、考慮すべき伝送チャネルの低減を付加的にユーザによってユーザ制御を用いて実施することができる。付加的または択一的に、考慮すべき伝送チャネルをディスプレイの表示能力、受信装置のバッテリ容量に依存して、または受信装置の負荷にも依存して選択することができる。前述の最後の２つの依存性により、本発明による受信方法をリソース効率の良く使用することができる。何故ならば、容量および／または負荷が低減されると読み出すべき伝送チャネルが低減されるので、受信装置の動作期間を延長することができるからである。
【００３８】
したがって本発明による送信方法ないし本発明による受信方法により、異なる機器機能を有する端末機器はメディアコンテンツ、例えばメッセージまたは楽曲を受信および再生することができる。殊に有利には、１つまたは複数の伝送チャネルを読み出す際の簡単な処理の他に、受信および再構成に必要とされる複雑性が読み出される伝送チャネルに依存して低減ないし増加される。考慮される伝送チャネルが少なくなればなるほど、複雑性はいっそう少なくなる。複雑性の低減を廉価な実現形態、例えばハードウェアコンポーネント、また低減された電流消費量に反映させることができる。データストリームＣ１，Ｃ１２，Ｃ２２の伝送チャネルＵ１，Ｕ２１，Ｕ２２へのそれぞれの対応付けが事前に規定されているので、全ての伝送チャネルを絶え間なく「傍受」する必要はなくなる。したがって、考慮すべき伝送チャネルＵ１，Ｕ２１，Ｕ２２がアクティブである間にのみデータ、すなわち符号化されたデータパケットの対応付けを行えばよいことによって電流消費量を付加的に低減することができる。さらには、例えば伝送チャネルの物理的な受信を制御する受信装置の受信モジュール（図示せず）をエネルギ給電部と分離させることができる。
【００３９】
以下では、本発明による送信方法ないし本発明による受信方法のヴァリエーションおよび拡張形態を詳細に説明する。
【００４０】
タイムスロットＺＡ〜ＺＤは固定的な持続時間または種々の持続時間を有することができる。タイムスロット指向の伝送方法ＵＫのデータレートに依存して、これらのタイムスロットＺＡ〜ＺＤは、例えばバイトで測定される固定数のデータ単位または種々の数のデータ単位を有することができる。例えばタイムスロットＺＡが１００バイトを有し、タイムスロットＺＢが５０バイトを有する。タイムスロットＺＡ〜ＺＤはフレームＵＲごとに同一数の最大データ単位を有することができ、これに対してデータストリームＣ１，Ｃ２１，Ｃ２１のデータはフレームＵＲごとにタイムスロットＺＡ〜ＺＤにおいて固定数のデータ単位または可変数のデータ単位を有することができる。
【００４１】
拡張形態においては、データストリーム、例えば第１のデータストリームＣ１のデータを少なくとも２つの伝送チャネルに分割して送信および受信することができる。
【００４２】
本発明による送信方法の択一的な拡張形態においては、第１のデータストリームＣ１および／または第２のデータストリームＣ２１，Ｃ２２を符号化ないし生成する際に、第１のデータストリームＣ１および／または第２のデータストリームＣ２１，Ｃ２２に属するそれぞれのデータレートをそれぞれの伝送チャネルＵ１，Ｕ２１，Ｕ２２の帯域幅Ｂ１，Ｂ２１，Ｂ２２に依存して決定することができる。例えばタイムスロット指向の伝送方法ＵＫの総伝送データレートが既知である場合には、各タイムスロットＺＡ〜ＺＤに１つの帯域幅を対応付けることができる。タイムスロット指向の伝送方法ＵＫの総伝送データレートが例えば１００ｋバイト／ｓである場合、タイムスロットＺＡないし伝送チャネルＵ１の帯域幅は、フレームＵＲ毎のデータ単位数、例えば５００バイトに対するタイムスロット毎のデータ単位数、例えば１００バイトから計算される。すなわち、
Ｂ１＝１００ｋバイト／ｓ＊１００バイト／５００バイト＝２０ｋバイト／ｓ。
【００４３】
したがってデータストリームＣ１，Ｃ２１，Ｃ２２の符号化を伝送チャネルＵ１，Ｕ２１，Ｕ２２ごとにそれぞれ使用される帯域幅Ｂ１，Ｂ２１，Ｂ２２に依存して制御することができる。つまり上述の例によれば符号化モジュールＣＭのレート制御は、Ｂ１＝２０ｋバイトについて第１のデータストリームＣ１に関する最大データレートを生じさせることになる。
【００４４】
伝送チャネルを伝送するためのタイムスロット指向の伝送方法ＵＫの使用に択一的または補完的に、周波数を基礎とする伝送方法ＵＫも使用することができる。このことは図２詳細に示されている。それぞれの伝送チャネルＵ１，Ｕ２１，Ｕ２２がそれぞれの周波数帯域ＦＡ〜ＦＣにおいて伝送される。つまり、例えば伝送チャネルＵ２１が周波数ｆ１とｆ２との間の周波数帯域ＦＡにおいて伝送される。周波数帯域ＦＡ〜ＦＣは例えば１０ｋＨｚの帯域幅を有することができる。さらに図２からは、符号化されたデータパケットＤ１０，Ｄ２０，Ｄ３０が異なる周波数帯域において、また異なるタイムスロットにおいて伝送されることが見て取れる。したがって図２は組み合わされた周波数指向且つタイムスロット指向の伝送方法ＵＫを表す。付加的に、この伝送方法では搬送周波数における変調を行うことができる。参照符号ＵＫは本発明の枠内において、受信装置ＥＶにおける伝送チャネルＵ１，Ｕ２１，Ｕ２２の一義的な再取得を実現するあらゆる伝送方法を表す。
【００４５】
組み合わされた周波数指向且つタイムスロット指向の伝送方法ＵＫを使用する代わりに、周波数指向の伝送方法ＵＫのみを使用することもできる。伝送チャネルＵ１，Ｕ２１，Ｕ２２にはそれぞれ周波数帯域ＦＡ〜ＦＣが対応付けられる。それぞれのデータストリームＣ１，Ｃ２１，Ｃ２２のデータがそれぞれ所属の伝送チャネルＵ１，Ｕ２１，Ｕ２２において、もしくはこれに属する周波数帯域において伝送される。
【００４６】
本発明による方法の拡張形態においては、変調指向の伝送方法ＵＫを使用することができる。このことを図３，４Ａおよび４Ｂに基づき詳細に説明する。例えば、第１の伝送チャネルＵ１の符号化されたデータパケットＤ１０が２つのシンボルＸＸを有し、また第２の伝送チャネルＵ２１の符号化されたデータパケットＤ２０がシンボルＹＹを有する場合には、これらのシンボルＸＸないしＹＹを相互に並べることによって、シンボル発生器ＳＧにより組み合わされたシンボルＳＹ＝ＹＹＸＸが形成される（図４Ａを参照されたい）。変調モジュールＭＯＤによる後続の変調によって変調信号ＳＤＭが生じる。２進数のシンボル、すなわち０ないし１がシンボルＸないしＹに対して使用される場合、１６−ＱＡＭ変調（QAM - Quadrature Amplitude Modulation）では変調信号を図３によるＩＫ−ＲＫ図（ＩＫ＝同相成分、ＲＫ＝直交成分）における丸「○」の形で見つけることができる。これは従来技術から公知である。変調信号ＳＤＭにおいては第１のデータストリームのデータないしデータパケットが第１のサブキャリアを表し、第２のデータストリームのデータないしデータパケットが第２のサブキャリアを表す。サブキャリアは有利には、図３に示されているように、階層的に相互に重なって構成されている。
【００４７】
この例においては、変調方法ないし復調方法として１６−ＱＡＭ方法が使用される。本発明の枠内においては、変調方法のサブキャリアの分割を所属の復調方法の枠内において実現するあらゆる方法を使用することができる。各サブキャリアはそれぞれ伝送チャネルのうちの１つを表す。
【００４８】
本発明による方法の択一的な拡張形態においては、第１のデータストリームと少なくとも１つの第２のデータストリームまたは少なくとも２つの第２のデータストリームを包含する少なくとも２つのデータストリームが単一の伝送チャネルに対応付けられる。
【００４９】
再構成されたメディアデータストリームＲを再構成するために、受信装置ＥＶにおいて図４Ｂによる構造を使用することができる。変調信号ＳＤＭが受信され、制御信号ＳＧにより制御される選択スイッチによって、第１の復調モジュールＤＭＯＤ１または第２の復調モジュールＤＭＯＤ２に伝送される。第１の復調モジュールＤＭＯＤ１は伝送チャネルＵ１のデータ、すなわち第１のデータストリームＣ１の符号化されたデータＤ１０〜Ｄ１２のみを供給する。これは図３においてシンボル「＊」によって表されている。これに対して伝送チャネルＵ１およびＵ２１、すなわち第１のデータストリームＣ１の符号化されたデータＤ１０〜Ｄ１２および第２のデータストリームＣ２１の符号化されたデータＤ２０〜Ｄ２２が出力される場合には、変調信号ＳＤＭが第２の復調モジュールＤＭＯＤ２に伝送される。
【００５０】
変調方法ＵＫに関するこのヴァリエーションは例えば以下の利点を有する。すなわち、伝送チャネルの質が悪い場合であっても、伝送チャネルＵ１は変調指向の伝送方法ＵＫに基づき第２のサブキャリアないし伝送チャネルＵ２１よりも低い妨害耐性を有するので、第１のサブキャリアないし伝送チャネルＵ１のみが再構成の際に考慮されることによって例えばメッセージの受信が実現される。したがって制御信号ＳＧを伝送品質Ｑにも依存してトリガないし形成することができる。例えば第２のデータストリームＣ２１が第２の対応付けモジュールＺＭ２に伝送され、この第２の対応付けモジュールＺＭ２が符号化されたデータパケットＤ２０〜Ｄ２２のパケット誤り率に基づき制御信号ＳＧを新たに形成する。例えば符号化されたデータパケットＤ２０〜Ｄ２２の３０％以上がエラーを有している場合には、第１のデータストリームＣ１の符号化されたデータパケットＤ１０〜Ｄ１２のみが再構成されたメディアデータストリームＲの再構成に関して考慮される。この構成により再構成されたメディアデータストリームＲの画像品質を向上させることができる。何故ならば、誤りを有する第２のデータストリームの考慮は、再構成の際に妨害性の画像アーチファクトを生じさせる可能性があるからである。
【００５１】
本発明による送信装置ＳＶをストリーミングサーバおよび／またはブロードキャスティングサーバ内に設けることができる。ストリーミングサーバは例えば３ＧＰＰ−ＰＳＳ標準（3GPP - 3rd Generation Partnership Project; PSS - Packet-based Streaming Service）に準拠して動作し、またブロードキャスティングサーバは３ＧＰＰ−ＭＢＭＳ（MBMS - Multimedia Broadcast/Multicast Service）またはＤＶＢ−Ｈ標準（DVB-H - Digital Video Broadcast - Handheld）に準拠して動作する。サーバをＵＭＴＳ、ＧＳＭおよび／またはＩＰを基礎とするネットワークに組み込むことができる（UMTS - Universal Mobile Telecommunications System; GSM - Global System for Mobile Communications; IP - Internet Protocol）。
【００５２】
本発明による受信装置ＥＶを携帯可能な機器、殊に移動電話またはＰＤＡ（PDA - Personal Digital Assistant）および／または固定的な機器、殊にコンピュータまたは固定網電話に組み込むことができる。
【００５３】
送信装置ＳＶないし受信装置ＥＶは例えばハードウェアコンポーネントを用いて実現されるか、送信方法もしくは受信および作成方法がソフトウェアにおいて実現されるように構成されているコンピュータを用いて実現されるか、ハードウェアとソフトウェアの組み合わせにより実現される。
【図面の簡単な説明】
【００５４】
【図１】本発明による方法を実施するための送信装置および受信装置の実施例を示す。
【図２】種々のデータストリームのデータのそれぞれの周波数帯域への割り当てと時間の関係を示す。
【図３】種々のデータストリームのデータを対応付ける１６−ＱＡＭ方法を使用する場合の信号空間と符号の対応付けを示す。
【図４Ａ】１６−ＱＡＭ方法を使用する場合の種々のデータストリームのデータの対応付けの実施例を示す。
【図４Ｂ】１６−ＱＡＭ方法を使用する場合の種々のデータストリームのデータを再取得するために実施例を示す。
【図１】
0005388576.tif 000002
【図２】
0005388576.tif 000003
【図３】
0005388576.tif 000004
【図４Ａ】
0005388576.tif 000005
【図４Ｂ】
0005388576.tif 000006